(57)【要約】      （修正有）【課題】棒状材の交差部の角度を自由に調整することができ、作業者の負担にならずに押しつけることができる交差金具を提供する。【解決手段】押当部２１との間に寸切りボルトからなる棒状材Ｒ、Ｓを挟んで固定する。挟着体１は、金属板から切り出され、屈曲して形成された対向する脚部１３と、脚部１３の間であって押付ネジ２２が貫通する貫通孔が開口された押さえ部１１を備えている。押さえ部１１は、脚部１３を有さない一対の辺から貫通孔に向けて山状に屈曲されて、辺の角が棒状材Ｒ、Ｓに係合する係合部に形成されている。【選択図】図４
0003202840.tif 000002
【実用新案登録請求の範囲】
【請求項１】
寸切りボルトからなる棒状材を押当部に対して押しつける交差金具において、
前記棒状体を前記押当部との間に挟む金属板からなる挟着体であって、前記挟着体は、前記押当部の両端部から対向するように屈曲して形成された脚部と、前記押当部から起立した押付ネジが貫通する貫通孔が開口された押さえ部とを備え、
かつ前記挟着体の押さえ部は、前記脚部を有さない一対の辺から前記貫通孔に向けて山状に屈曲されて、前記脚部を有さない一対の辺の角が棒状材に係合する係合部に形成され、前記挟着体はナットを前記挟着体を貫通した前記押付ネジに螺合することにより、前記棒状材を押しつけることを特徴とする交差金具
【請求項２】
請求項１の交差金具において、さらに
前記押当部の両側に起立するように押付ネジが固定された中間体を備えることを特徴とする交差金具。
【請求項３】
請求項１の交差金具において、前記脚部を有さない一対の辺の中央から前記貫通孔に向かう途中の地点までには、谷が設けられていることを特徴とする交差金具
【考案の詳細な説明】
【技術分野】
【０００１】
本考案は、棒状材を交差させて押しつける際に用いられる交差金具に関するものである。
【背景技術】
【０００２】
天井面や天井裏に設備用器具等の電気器具を設置する場合、吊りボルト等により吊り下げて設置する。近年、地震等で生じる横揺れで設備用器具等が落下することを防ぐため、吊りボルトに対して寸切りボルトを棒状材として筋交い状に交差させて押しつけることが行われている。例えば、特許文献１によれば、一対の挟着体により、交差した棒状材の交差部分を外側から挟み、一対の挟着体を貫通する１本の連結ボルトにより固定する技術が開示されている。各挟着体には、棒状材の一方の長手側面に沿って当接保持するように屈曲された保持部と、他方の長手側面がわに張り出すように延長され連結ボルトを貫通せしめる貫通孔が開穿された重合部とが形成され、各挟着体の重合部を重ねて連結ボルトにて連結することで該連結ボルトを中心に交差部の角度を調整自在にすると共に、該交差部を挟着体で圧着固定する。また、棒状材の螺子山に係合するように保持部を設けている。
【先行技術文献】
【特許文献】
【０００３】
【特許文献１】特開２０１５−１２４８５６号公報
【考案の概要】
【考案が解決しようとする課題】
【０００４】
特許文献１の交差金具によると、僅か１本の連結ボルトにより堅牢に固定することができ、かつ、棒状材の交差する棒状材の角度を自由に設定することができる。しかしながら、特許文献１の交差金具は、挟着体の側面に多数の折り曲げ箇所を有し、かつ保持部を別途設けなければいけない。また、固定する作業手順としては、交差する棒状材の交差点を挟着体により挟み付け、棒状材の交差部が相互に圧着した状態を作業者の一方の手により維持した状態で、他方の手でレンチ等により連結ボルトを締め付けなくてはならない。棒状体が交差位置において撓みにより多少離れていたとしても、まずは作業員の手により寸切りボルト同士を互いに接触するように押さえつけ、かつその両側から押さえつける挟着体の位置が動かないようにした状態を維持した上で、レンチを操作する必要があり、作業者にとっては負担である。
【０００５】
そこで本考案は上述の課題を解消すべく創出されたもので、棒状材の交差部の角度を自由に調整することができ、製造しやすく、かつ作業者の負担にならずに固定することができる交差金具の提供を目的とする。
【課題を解決するための手段】
【０００６】
上述の目的を達成すべく本考案の交差金具によれば、寸切りボルトからなる棒状材を押当部に対して押しつける交差金具において、
前記棒状体を前記押当部との間に挟む金属板からなる挟着体であって、前記挟着体は、前記押当部の両端部から対向するように屈曲して形成された脚部と、前記押当部から起立した押付ネジが貫通する貫通孔が開口された押さえ部とを備え、
かつ前記挟着体の押さえ部は、前記脚部を有さない一対の辺から前記貫通孔に向けて山状に屈曲されて、前記脚部を有さない一対の辺の角が棒状材に係合する係合部に形成され、前記挟着体はナットを前記挟着体を貫通した前記押付ネジに螺合することにより、前記棒状材を押しつけることを特徴とする。
【考案の効果】
【０００７】
本考案によれば、挟着体は、押付ネジを中心にして、どのような角度であっても押当部に押しつけることが出来るため、どのような角度で交差する棒状材に対しても対応が可能である。また、金属板を屈曲するのは対向する２箇所であり、脚部を有さない一対の辺から前記貫通孔に向けて山状に屈曲されている。このように谷を持つ山状に形成されたことにより構造的に強化され、かつ一対の辺の下側の角が下に向かって凸となった係合部により棒状材のネジ山に噛み合うことができるという効果がある。
【図面の簡単な説明】
【０００８】
【図１】挟着体の構成を示す図である。
【図２】挟着体を棒状材に取り付ける様子を示す図である。
【図３】挟着体による棒状材を固定する原理を示す図である。
【図４】棒状材により棒状材を固定した状態を示す斜視図である。
【考案を実施するための形態】
【０００９】
天井面や天井裏に設備用器具等を吊り下げる場合、吊りボルトを天井構造物から垂下して、棒状材を吊りボルトに対して、筋交い状に交差させて固定する。尚、殆どの場合において、吊りボルトも棒状材も、寸切りボルトからなっている。また、寸切りボルトとは、別名長ねじや全ねじと呼ばれている頭部の無いねじである。
図１に本実施例による交差金具１００を示す。交差金具１００は、挟着体１、中間体２及びナット３とで構成されている。挟着体１は、矩形状の金属板から切り出して形成されており、押さえ部１１の両端部ｐから対向するように折り曲げられた脚部１３を有する側面視コ字状の部材である。中間体２は、平板状の押当部２１の表面の中央から、押付ネジ２２が垂直に溶接２３により起立された金属部材である。
【００１０】
図１Ａから図１Ｅは、挟着体１の正面、左側面、平面、底面、及びＸ−Ｘ断面を夫々示している。押さえ部１１の中央には、押付ネジ２２が貫通する貫通孔１２が設けられている。この貫通孔１２は、押付ネジ２２の軸部が多少角度をもって貫通できる大きさを持つ孔であって、かつナット３が通り抜けることが出来ない大きさになっている。押さえ部１１は、脚部１３が設けられていない一対の辺ｑを裾野にして貫通孔１２に向かって高さを増加する山状になるように形成されている。また、辺ｑの中央から貫通孔１２に向かう途中の地点までには、谷ｒが設けられている。図１Ｅを参照すると、このように谷ｒを持つ山状に形成されたことにより構造的に強化され、かつ一対の辺ｑの下側の角が下に向かって凸となっており係合部１４を形成している。係合部１４は棒状材Ｒ又はＳ（図２参照）のネジ山に噛み合って係合する。貫通孔１２と脚部１３との間は、棒状材Ｒ又はＳの直径よりも広い間隔ｗ１だけ離れている。
【００１１】
脚部１３は、棒状材の直径よりも短い高さｈになっている。このため、挟着体１の脚部１３と脚部１３の間に棒状材Ｒ又はＳを配すると、片側の脚部１３が浮き上がり接地することが出来ない状態になる。また、押さえ部１１は、脚部１３を設けられた両端部ｐに対しても、これらを裾野として孔に向かって山状になるように形成されている。このため、押さえ部１１は、全体として、貫通孔１２に向かって盛り上がる形状になっている。押さえ部１１において、貫通孔１２の縁から脚部１３との間の間隔は、棒状材Ｒ又はＳの直径より若干大きくなっている。
【００１２】
図１Ｆと図１Ｇは中間体の正面と斜視した状態を示している。押当部２１としては、円板を用いているが、四角形でもよい。押当部２１の中央を開口し、寸切りボルトを押当部２１から突出するように貫通した後溶着して、押当部２１の両側に押付ネジ２２を起立した状態に固定している。
【００１３】
図２は、天井面や天井裏などから吊り下げられた吊り下げ螺子に対して、筋交い状に交差させた棒状材Ｒ、Ｓに対して交差金具１００を取り付けて、棒状材Ｒ、Ｓの交差状態を固定する様子を示している。挟着体１は、中間体２の両側に対して、その貫通孔１２に押付ネジ２２を夫々貫通させて、ナット３が螺着される。まず、中間体２の押当部２１を交差する棒状材Ｒ、Ｓの間に挟み込む。次に、一方側の棒状材Ｒに対する固定を行う。一方側の押付ネジ２２を挟着体１の貫通孔１２を貫通させ、一方の脚部１３と一方の押付ネジ２２との間に棒状材Ｒを配置してナット３を締める。棒状材Ｒは、棒状材の長手側面が脚部１３により包囲され、押さえ部１１により押当部２１の一方側の表面に挟み込まれて押しつけられる。その後、同様に他方側の棒状材Ｓに対する作業を行う。
【００１４】
図３は、挟着体１が棒状材Ｒ、Ｓ（図においては棒状材Ｒを示す）する原理を示す図である。ナット３は、破線で示してある。挟着体１の脚部１３は、棒状材Ｒ、Ｓの直径よりも短い高さｈになっているため、挟着体１と押当部２１の夫々の表面により棒状材Ｒ又はＳを挟んだときに、挟着体１の脚部１３の一方が押当部２１から浮いた状態になる。山形の形状がバネ力を発揮して棒状材Ｒ、Ｓを押さえつける（図３Ａ）。一方、挟着体１の係合部１４は、挟着体１がナット３で締め付けられたときに、棒状材Ｒ又はＳのネジ山に対して噛み合って固定する。図３Ａにおいては、脚部１３が棒状材Ｒと離れてしまっているが、脚部１３が棒状材Ｒの長さ方向側面に接触している状態で押しつけるのが望ましい。
【００１５】
図４は、挟着体１により、棒状材Ｒ、Ｓを押当部２１に押しつけた状態を示す図である。挟着体１は、押付ネジ２２を中心にして、どのような角度であっても棒状材Ｒ、Ｓを押当部２１に押さえつけることが出来る。このため、どのような角度で交差する棒状材Ｒ、Ｓに対しても作業が可能になっている。また、交差する棒状材Ｒ、Ｓに対して、一つずつ押しつけることが出来るため、作業しやすい。
【００１６】
実施例においては、脚部１３を有さない一対の辺の下側ｑが下に向かって凸となるように押さえ部１１の形状を山状にして係合部１４を形成しているが、押さえ部１１の下側に突起を設けて係合部１４を形成させても良い。また、寸切りボルトによる棒状材Ｒ、Ｓの交差を固定する例を示したが、寸切りボルトに代えて丸棒や角棒など、他の棒状材でも押しつけ可能である。
【００１７】
実施例においては、貫通孔１２は円形であるが、四角形であっても良い。
【符号の説明】
【００１８】
１００  交差金具
１  挟着体
２  中間体
３  ナット
１１  押さえ部
１２  貫通孔
１３  脚部
１４  係合部
２１  押当部
２２  押付ネジ
Ｒ、Ｓ  棒状材
【図１】
0003202840.tif 000003
【図２】
0003202840.tif 000004
【図３】
0003202840.tif 000005
【図４】
0003202840.tif 000006